(57)【要約】【課題】運転支援が必要な交差点以外の場面で、運転支援が実行されることを抑制することができる運転支援装置を提供すること。【解決手段】運転支援装置２に、車両１の車速の情報を取得する車速取得部６３と、ドライバのブレーキ操作量とアクセル操作量とを含むドライバの運転操作の情報を取得するアクセル開度取得部６４及びブレーキ操作取得部６５と、運転支援の作動と停止とを切り替えるステアリングスイッチ５６と、車速取得部６３で取得した車速が所定の速度以下で、且つ、ブレーキ操作量とアクセル操作量とがそれぞれ所定の基準値以下であり、さらに、ステアリングスイッチ５６が運転支援を作動する状態に切り替えられているときに、運転支援を実行する支援実行部８０と、を備える。【選択図】図５
2013206156.tif 000002
【特許請求の範囲】
【請求項１】
車両の車速の情報を取得する車速取得手段と、
ドライバのブレーキ操作量とアクセル操作量とを含む前記ドライバの運転操作の情報を取得する運転操作取得手段と、
前記車速取得手段で取得した前記車速が所定の速度以下で、且つ、前記ブレーキ操作量と前記アクセル操作量とがそれぞれ所定の基準値以下であるときに、運転支援を実行する運転支援手段と、
を備えることを特徴とする運転支援装置。
【請求項２】
車両の車速の情報を取得する車速取得手段と、
ドライバのブレーキ操作量とアクセル操作量とを含む前記ドライバの運転操作の情報を取得する運転操作取得手段と、
運転支援の作動と停止とを切り替える支援要求手段と、
前記車速取得手段で取得した前記車速が所定の速度以下で、且つ、前記ブレーキ操作量と前記アクセル操作量とがそれぞれ所定の基準値以下であり、さらに、前記支援要求手段が前記運転支援を作動する状態に切り替えられているときに、前記運転支援を実行する運転支援手段と、
を備えることを特徴とする運転支援装置。
【請求項３】
前記車両の位置情報を取得する位置情報取得手段と、
前記支援要求手段が作動状態に切り替えられた位置と前記位置情報取得手段で取得した前記位置情報とを対応付けて記憶する支援要求位置記憶手段と、
を備え、
前記運転支援手段は、前記車両の走行時に前記位置情報取得手段で取得した現在の前記位置情報が、前記支援要求位置記憶手段で記憶した前記支援要求手段が前記作動状態に切り替えられた位置である場合には、前記支援要求手段の状態に関わらず前記運転支援を実行することを特徴とする請求項２に記載の運転支援装置。
【請求項４】
前記運転支援の作動を前記支援要求手段で切り替える手動モードと、前記支援要求手段の状態に関わらず前記運転支援を実行させる自動モードと、を切り替えるモード切替手段を備えており、
前記運転支援手段は、前記モード切替手段が前記自動モードに切り替えられている場合には、前記支援要求手段の状態に関わらず前記車速と前記ブレーキ操作量と前記アクセル操作量とに応じて前記運転支援を実行することを特徴とする請求項２または３に記載の運転支援装置。
【発明の詳細な説明】
【技術分野】
【０００１】
本発明は、運転支援装置に関する。
【背景技術】
【０００２】
近年では、走行中の車両のドライバに対して種々の運転支援を行う運転支援装置が提案されている。例えば、特許文献１に記載されている一時停止交差点検出装置は、自車両の交差点への接近状態と他車両の走行状態とに基づいて、自車両の前方の交差点が一時停止すべき交差点であるか否かを判定し、自車両の一時停止交差点への接近状態に応じて、ドライバに警報を発する。
【先行技術文献】
【特許文献】
【０００３】
【特許文献１】特開２００７−１６４２２３号公報
【発明の概要】
【発明が解決しようとする課題】
【０００４】
しかし、他車両は、信号機がある交差点でも信号に応じて停止し、一時停止交差点と同様の走行状態を示すことになる。このため、一時停止交差点など、より注意して進入する必要があり、運転支援が必要な交差点であるか否かを、他車両の走行状態を用いて精度良く判断するのは、大変困難なものとなっていた。
【０００５】
本発明は、上記に鑑みてなされたものであって、運転支援が必要な交差点以外の場面で、運転支援が実行されることを抑制することができる運転支援装置を提供することを目的とする。
【課題を解決するための手段】
【０００６】
上述した課題を解決し、目的を達成するために、本発明に係る運転支援装置は、車両の車速の情報を取得する車速取得手段と、ドライバのブレーキ操作量とアクセル操作量とを含む前記ドライバの運転操作の情報を取得する運転操作取得手段と、前記車速取得手段で取得した前記車速が所定の速度以下で、且つ、前記ブレーキ操作量と前記アクセル操作量とがそれぞれ所定の基準値以下であるときに、運転支援を実行する運転支援手段と、を備えることを特徴とする。
【０００７】
また、上述した課題を解決し、目的を達成するために、本発明に係る運転支援装置は、車両の車速の情報を取得する車速取得手段と、ドライバのブレーキ操作量とアクセル操作量とを含む前記ドライバの運転操作の情報を取得する運転操作取得手段と、運転支援の作動と停止とを切り替える支援要求手段と、前記車速取得手段で取得した前記車速が所定の速度以下で、且つ、前記ブレーキ操作量と前記アクセル操作量とがそれぞれ所定の基準値以下であり、さらに、前記支援要求手段が前記運転支援を作動する状態に切り替えられているときに、前記運転支援を実行する運転支援手段と、を備えることを特徴とする。
【０００８】
また、上記運転支援装置において、前記車両の位置情報を取得する位置情報取得手段と、前記支援要求手段が作動状態に切り替えられた位置と前記位置情報取得手段で取得した前記位置情報とを対応付けて記憶する支援要求位置記憶手段と、を備え、前記運転支援手段は、前記車両の走行時に前記位置情報取得手段で取得した現在の前記位置情報が、前記支援要求位置記憶手段で記憶した前記支援要求手段が前記作動状態に切り替えられた位置である場合には、前記支援要求手段の状態に関わらず前記運転支援を実行することが好ましい。
【０００９】
また、上記運転支援装置において、前記運転支援の作動を前記支援要求手段で切り替える手動モードと、前記支援要求手段の状態に関わらず前記運転支援を実行させる自動モードと、を切り替えるモード切替手段を備えており、前記運転支援手段は、前記モード切替手段が前記自動モードに切り替えられている場合には、前記支援要求手段の状態に関わらず前記車速と前記ブレーキ操作量と前記アクセル操作量とに応じて前記運転支援を実行することが好ましい。
【発明の効果】
【００１０】
本発明に係る運転支援装置は、運転支援が必要な交差点以外の場面で、運転支援が実行されることを抑制することができる、という効果を奏する。
【図面の簡単な説明】
【００１１】
【図１】図１は、実施形態１に係る運転支援装置を備える車両の概略図である。
【図２】図２は、図１に示す車両の車内の概略図である。
【図３】図３は、図２のＡ−Ａ矢視図である。
【図４】図４は、図３のＢ部詳細図である。
【図５】図５は、図１に示す運転支援装置の要部構成図である。
【図６】図６は、交差点進入時の運転支援についての説明図である。
【図７】図７は、実施形態１に係る運転支援装置によって運転支援を行う際におけるフロー図である。
【図８】図８は、実施形態２に係る運転支援装置の要部構成図である。
【図９−１】図９−１は、実施形態２に係る運転支援装置によって運転支援を行う際におけるフロー図である。
【図９−２】図９−２は、実施形態２に係る運転支援装置によって運転支援を行う際におけるフロー図である。
【発明を実施するための形態】
【００１２】
以下に、本発明に係る運転支援装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１３】
〔実施形態１〕
図１は、実施形態１に係る運転支援装置を備える車両の概略図である。実施形態１に係る運転支援装置２を備える車両１は、内燃機関であるエンジン５が動力源として搭載され、エンジン５で発生する動力が変速装置６等の駆動装置を経由して車輪３に伝達されることにより、走行可能になっている。また、車両１には、車輪３を制動することにより走行中の車両１を制動する制動手段であるブレーキ装置が備えられており、ブレーキ装置を作動させる際における油圧を制御するブレーキ油圧制御装置１０が設けられている。また、駆動装置には、駆動装置の出力軸の回転速度を検出することを介して車速を検出する車速検出手段である車速センサ２１が設けられている。
【００１４】
また、車両１には、ドライバが運転操作をする際に用いるアクセルペダル１５及びブレーキペダル１６が備えられており、このうち、アクセルペダル１５の近傍には、アクセルペダル１５の操作量を検出するアクセルセンサ２２が設けられている。また、ブレーキ油圧制御装置１０には、ブレーキペダル１６の操作時における油圧であるブレーキ圧を検出することによりブレーキペダル１６の操作量を検出するブレーキ圧センサ２３が設けられている。
【００１５】
さらに、車両１には、ドライバが操舵輪を操舵する際に用いるステアリングホイール１７が備えられており、ステアリングホイール１７は、電動パワーステアリング装置であるＥＰＳ（Ｅｌｅｃｔｒｉｃ  Ｐｏｗｅｒ  Ｓｔｅｅｒｉｎｇ）装置１２に接続されている。これにより、ステアリングホイール１７は、ＥＰＳ装置１２を介して、操舵輪である前輪を操舵可能に設けられている。また、このように設けられるＥＰＳ装置１２には、ステアリングホイール１７の回転角度である舵角を検出する舵角検出手段である舵角センサ２４が設けられている。
【００１６】
また、車両１には、自車両１の周辺の環境情報を取得する環境情報取得手段としてマイク３２が備えられている。マイク３２は、車両１の前端付近に配設されており、車両１の周囲の音情報を検出することにより、車両１の周囲の状態や、車両１が走行している道路に対して車両１の前方で交差する道路を移動する移動体の状態を検知する音情報検出手段として設けられている。このマイク３２は、例えば、車両１の前側のバンパ等に複数が配設されており、複数のマイク３２によって音の方向も含めて周囲の音情報を検出することが可能になっている。これによりマイク３２は、車両１の周囲から伝達される音情報や、車両１から発せられた音の反響音に基づいて、車両１の周囲の遮蔽物の存在や、車両１の前方に位置する交差点で交差している道路における、死角領域を移動する接近車両等の移動体の存在を検知することが可能になっている。
【００１７】
また、車両１の前側のバンパの側面には、車両１の前側方に存在する移動体に対して自車両１の存在を報知する報知用ランプ５３が設けられている。この報知用ランプ５３は、車両１の前端付近の左右両側面に配設されており、点灯することにより、車両１の前側方に向けて発光することが可能になっている。
【００１８】
図２は、図１に示す車両の車内の概略図である。図３は、図２のＡ−Ａ矢視図である。図４は、図３のＢ部詳細図である。車内には、ダッシュボード４０上に、所定の情報をドライバに対して報知する運転支援手段を構成する警報装置５０が設置されており、詳しくは、ダッシュボード４０上におけるフロントウィンドウ４１の下端付近に配設されている。この警報装置５０は、ドライバに対して視覚的に情報を報知する表示部５１と、音によって情報を報知するブザー５２とを有している。警報装置５０は、これらのように表示部５１やブザー５２を備えることにより、音と光とを用いた報知による運転支援が可能になっている。
【００１９】
また、車内には、本実施形態１に係る運転支援装置２の作動モードを切り替えるモード切替手段である作動モード切替スイッチ５５が設けられている。運転支援装置２は、作動モードを、自動的に作動する自動モードであるオートモードと、ドライバが作動のＯＮとＯＦＦとを切り替える手動モードであるマニュアルモードとに切り替え可能になっており、作動モード切替スイッチ５５は、このオートモードとマニュアルモードとを切り替えるスイッチになっている。また、ステアリングホイール１７には、作動モード切替スイッチ５５をマニュアルモードに切り替えた際に、ＯＮとＯＦＦとを切り替えることができるステアリングスイッチ５６が配設されている。このうち、ステアリングスイッチ５６は、ドライバの意思で運転支援の作動と停止とを切り替える支援要求手段として設けられている。即ち、オートモードは、ステアリングスイッチ５６の状態に関わらず運転支援を実行させるモードになっている。
【００２０】
これらのエンジン５や変速装置６、ブレーキ油圧制御装置１０、ＥＰＳ装置１２、車速センサ２１、アクセルセンサ２２、ブレーキ圧センサ２３、舵角センサ２４、マイク３２、警報装置５０、報知用ランプ５３、作動モード切替スイッチ５５、ステアリングスイッチ５６は、車両１に搭載されると共に車両１の各部を制御するＥＣＵ（Ｅｌｅｃｔｒｏｎｉｃ  Ｃｏｎｔｒｏｌ  Ｕｎｉｔ）に接続されている。このＥＣＵとしては、車両１の走行制御を行う走行制御ＥＣＵ６０と、車両１の走行中にドライバの運転支援をする制御である運転支援制御を行う運転支援ＥＣＵ７０と、が設けられている。
【００２１】
図５は、図１に示す運転支援装置の要部構成図である。ＥＣＵに接続される各部のうち、エンジン５やブレーキ油圧制御装置１０等の車両１の走行時に作動させる装置や、車速センサ２１等の車両１の走行状態を検出する検出手段は、走行制御ＥＣＵ６０に接続されている。また、走行制御ＥＣＵ６０には、アクセルセンサ２２やブレーキ圧センサ２３、舵角センサ２４等のドライバによる運転操作の状態を検出する検出手段も接続されている。これに対し、警報装置５０、作動モード切替スイッチ５５、ステアリングスイッチ５６等の運転支援制御に用いられる装置は、運転支援ＥＣＵ７０に接続されている。
【００２２】
また、走行制御ＥＣＵ６０と運転支援ＥＣＵ７０とは、互いに接続され、情報や信号のやり取りが可能になっている。これらの走行制御ＥＣＵ６０と運転支援ＥＣＵ７０とのハード構成は、ＣＰＵ（Ｃｅｎｔｒａｌ  Ｐｒｏｃｅｓｓｉｎｇ  Ｕｎｉｔ）等を有する処理部や、ＲＡＭ（Ｒａｎｄｏｍ  Ａｃｃｅｓｓ  Ｍｅｍｏｒｙ）等の記憶部等を備えた公知の構成であるため、説明は省略する。
【００２３】
これらのＥＣＵのうち、走行制御ＥＣＵ６０は、エンジン５の運転制御を行うエンジン制御部６１と、ブレーキ油圧制御装置１０を制御することにより制動力の制御を行うブレーキ制御部６２と、車速センサ２１での検出結果より車速の情報を取得する車速取得手段である車速取得部６３と、アクセルセンサ２２での検出結果よりアクセルペダル１５の操作量であるアクセル操作量を取得するアクセル開度取得部６４と、ブレーキ圧センサ２３での検出結果よりブレーキペダル１６の操作量であるブレーキ操作量を取得するブレーキ操作取得部６５と、舵角センサ２４での検出結果よりステアリングホイール１７の操舵の状態を取得する舵角取得部６６と、を有している。このうち、アクセル開度取得部６４と、ブレーキ操作取得部６５と、舵角取得部６６とは、ドライバの運転操作の情報を取得する運転操作取得手段として設けられている。
【００２４】
また、運転支援ＥＣＵ７０は、作動モード切替スイッチ５５やステアリングスイッチ５６の状態に基づいて運転支援制御の動作状態を制御する動作状態制御部７１と、マイク３２の制御を行うマイク制御部７３と、車両１の走行状態とドライバの運転操作の状態とに基づいて、車両１は運転支援が必要な交差点に向っているか否か判定を行う交差点判定手段である交差点判定部７５と、運転支援として危険回避を誘導する支援を実行する運転支援手段を構成する支援実行部８０と、を有している。
【００２５】
さらに、運転支援ＥＣＵ７０が有する支援実行部８０は、警報装置５０を作動させることによりドライバに対して警報を行う警報制御部８１と、報知用ランプ５３を制御することにより、自車両１の存在を周囲に報知する制御を行う報知制御部８３と、を有している。
【００２６】
本実施形態１に係る運転支援装置２は、以上のごとき構成からなり、以下、その作用について説明する。車両１の通常の走行時は、ドライバがアクセルペダル１５やブレーキペダル１６を操作することにより、エンジン５やブレーキ油圧制御装置１０等の各アクチュエータが作動し、車両１はドライバの運転操作に応じて走行する。例えば、走行制御ＥＣＵ６０が有するエンジン制御部６１は、アクセルセンサ２２での検出結果に基づいてアクセル開度取得部６４で取得したアクセル操作量に応じてエンジン５を制御することにより、ドライバの要求に沿った駆動力を発生させる。
【００２７】
また、ブレーキペダル１６を操作することにより、ブレーキ装置を作動させる際における油圧がブレーキ油圧制御装置１０で発生し、この油圧によってブレーキ装置が作動し、制動力が発生する。このように、ブレーキペダル１６の操作時にブレーキ油圧制御装置１０で発生する油圧であるブレーキ油圧は、ブレーキ圧センサ２３で検出し、ブレーキ操作取得部６５で取得する。ブレーキ操作取得部６５は、このブレーキ油圧を、ドライバのブレーキ操作量として取得する。
【００２８】
また、車両１の走行時には、車両１の各部に設けられるセンサ類によって車両１の走行状態が検出され、車両１の走行制御に用いられる。例えば、車速センサ２１で検出した車速情報は、走行制御ＥＣＵ６０が有する車速取得部６３で取得し、車速情報を用いて走行制御を行う際に使用される。
【００２９】
また、本実施形態１に係る運転支援装置２は、車両１の走行時にドライバに対して注意喚起を行うことにより運転支援を行うことが可能になっている。具体的には、自車両１が走行する道路に交差する道路を移動する他の車両等の移動体に対して、出会い頭に衝突することを防ぐために、通常の走行時よりも注意を払いながら走行する必要がある交差点に自車両１が進入する際に、運転支援を行うことが可能になっている。
【００３０】
運転支援装置２で行う運転支援は、マイク３２で検出した音情報を用いて、警報装置５０によって行う。つまり、本実施形態１に係る運転支援装置２では、自車両１の周辺の環境情報を取得する環境情報取得手段として設けられたマイク３２によって検出された音情報に基づいて警報装置５０を制御し、ドライバに対して警報することにより、運転支援を実行する。
【００３１】
図６は、交差点進入時の運転支援についての説明図である。運転支援装置２での運転支援について説明すると、車両１が、自車両１が走行中の道路である走行道路９１を走行中は、車両１の進行方向に、一時停止線９４がある交差点９３など注意が必要な交差点９３が存在する場合に、運転支援を実行する。車両１の進行方向に、より注意が必要で、運転支援が必要な交差点９３が存在するか否かの判断は、車両１の走行状態とドライバの運転操作の状態に基づいて判断する。具体的には、車速取得部６３で取得した車速が所定の速度以下で、且つ、アクセル開度取得部６４で取得したアクセル操作量とブレーキ操作取得部６５で取得したブレーキ操作量とが、それぞれ所定の基準値以下である場合に、運転支援が必要な交差点９３が存在するとの判定を、運転支援ＥＣＵ７０が有する交差点判定部７５で行う。
【００３２】
つまり、ドライバに対して注意喚起等の運転支援を行う必要のある交差点９３、即ち、より注意深く走行する必要がある交差点９３に車両１が進入する場合には、ドライバは車速を低減させ、さらに、アクセルペダル１５とブレーキペダル１６とのうち、少なくとも一方は完全に戻し、他方は完全に戻すか、若干踏み込んだ状態で進入する。これにより、アクセル操作量とブレーキ操作量とは、共に所定の基準値以下の状態になり、アクセル操作量とブレーキ操作量とが共に小さく、車速も低い状態で、車両１は交差点９３にゆっくり進入する。即ち、ドライバは、走行道路９１に対して交差する交差道路９２を移動する接近車両９７や歩行者９８等の移動体９６の状況を確認しながら、自車両１を交差点９３内にゆっくり進入させる。
【００３３】
運転支援が必要な交差点９３に進入する際には、このように、アクセル操作量とブレーキ操作量とを共に小さくし、車速が低い状態で進入すると考えられるため、交差点判定部７５は、車両１の走行状態とドライバの運転状態が、停車状態以外でこれらの条件を満たす場合には、車両１はこのような交差点９３に向っていると判定する。
【００３４】
運転支援装置２は、このような交差点９３に進入すると交差点判定部７５で判定した場合において、作動モード切替スイッチ５５やステアリングスイッチ５６によって、運転支援を作動する状態に切り替えられているときに、運転支援を実行する。この運転支援としては、ドライバに対する注意喚起等の運転支援制御を、運転支援ＥＣＵ７０が有する支援実行部８０によって実行することにより、ドライバに対する運転支援を行う。
【００３５】
例えば、交差道路９２を走行して自車両１に接近する接近車両９７等の移動体９６からの音をマイク３２で検出し、検出した音情報に基づいて、移動体９６が接近していることをドライバに知らせる。具体的には、運転支援ＥＣＵ７０が有するマイク制御部７３でマイク３２を制御することにより、自車両１の周囲の音情報を検出し、マイク３２で検出した音情報を、マイク制御部７３で取得する。
【００３６】
ドライバへの警報は、支援実行部８０が有する警報制御部８１で警報装置５０を制御することによって行う。警報制御部８１は、警報装置５０を制御することにより、交差道路９２に移動体９６が存在することを警報装置５０の表示部５１で表示したり、警報装置５０のブザー５２から警報音を発信したりする。これにより、ドライバに対して警報し、ドライバに対する注意喚起の運転支援を行う。
【００３７】
さらに、移動体９６が高い速度で自車両１に接近している場合など、自車両１と移動体９６との相対的な関係に応じて、支援実行部８０が有する報知制御部８３で報知用ランプ５３を制御することにより、報知用ランプ５３を発光させる。これにより、移動体９６に対して自車両１の存在を認識させ、移動体９６に対して注意喚起を行う。
【００３８】
これらのように行う交差点９３への進入時における運転支援では、自車両１の状態や移動体９６の状態によって支援の強度を変化させる。例えば、交差点９３への進入時における車速や、自車両１に接近する移動体９６の速度によって、運転支援の強度を大きくする。この運転支援の強度の強弱は、ドライバに対する注意喚起の度合いによって変化させる。即ち、警報装置５０の表示部５１で所定の光を発光することによる運転支援では、発光時における光量や色を変化させたり、点滅させたりすることにより、運転支援の強度を変化させる。より詳細には、例えば発光時における光量を大きくする、輝度を明るくする、色を赤など目立つ色にする、または、点滅させることにより、運転支援の強度を強くする。また、警報装置５０のブザー５２から警報音を発生させることによる運転支援では、ブザー５２から発生する警報音の音量や周波数を変化させることにより、運転支援の強度を変化させる。より詳細には、例えば警報音の音量を大きくする、音を高くすることにより、運転支援の強度を強くする。
【００３９】
また、運転支援装置２による運転支援は、作動モード切替スイッチ５５を切り替えることにより、交差点９３への進入時に自動的に実行するか、ドライバの任意で実行するかを切り替えることが可能になっている。作動モード切替スイッチ５５は、車両１が交差点９３に進入する際に、自車両１の状態と周囲の環境とに応じて自動的に運転支援を実行するオートモードと、交差点９３への進入時に運転支援を実行するか否かをドライバが選択することができるマニュアルモードとに切り替えることが可能になっている。
【００４０】
また、作動モード切替スイッチ５５がマニュアルモードの場合は、ステアリングホイール１７に配設されるステアリングスイッチ５６のＯＮとＯＦＦとを切り替えることにより、交差点９３への進入時における運転支援のＯＮとＯＦＦとを切り替えることが可能になっている。これらの作動モード切替スイッチ５５やステアリングスイッチ５６の状態は、運転支援ＥＣＵ７０が有する動作状態制御部７１で取得し、運転支援ＥＣＵ７０は、動作状態制御部７１で取得したスイッチの状態に応じて、運転支援制御を行う。
【００４１】
つまり、動作状態制御部７１は、作動モード切替スイッチ５５がオートモードの場合、及び作動モード切替スイッチ５５がマニュアルモードで、ステアリングスイッチ５６がＯＮの場合に、支援実行部８０に対して交差点９３進入時の運転支援を実行させる。これに対し、動作状態制御部７１は、作動モード切替スイッチ５５がマニュアルモードで、ステアリングスイッチ５６がＯＦＦの場合には、支援実行部８０で運転支援を実行させないようにする。
【００４２】
このため、作動モード切替スイッチ５５をオートモードに切り替えた場合には、運転支援装置２は、車両１の走行状態とドライバの運転状態とに基づいて、運転支援が必要な交差点９３に車両１が進入すると判断する度に、運転支援制御を行う。即ち、支援実行部８０は、作動モード切替スイッチ５５がオートモードに切り替えられている場合には、ステアリングスイッチ５６の状態に関わらず車速とブレーキ操作量とアクセル操作量とに応じて運転支援を実行する。
【００４３】
これに対し、作動モード切替スイッチ５５をマニュアルモードに切り替えた際には、運転支援装置２は、ステアリングスイッチ５６がＯＮの状態で、運転支援が必要であると判断された交差点９３内に自車両１が進入する場合に、運転支援制御を行う。また、作動モード切替スイッチ５５をマニュアルモードに切り替え、ステアリングスイッチ５６をＯＦＦにした状態では、運転支援が必要であると判断された交差点９３に車両１が進入する場合でも、運転支援装置２は運転支援制御を行わない。
【００４４】
図７は、実施形態１に係る運転支援装置によって運転支援を行う際におけるフロー図である。次に、本実施形態１に係る運転支援装置２で運転支援を行う場合における処理手順の概略について説明する。なお、以下の処理は、車両１の走行制御時における所定の時間ごとに呼び出されて実行する。車両１の走行中に、運転支援のフローが呼び出された場合には、まず、車速Ｖ≦Ｖ１であるか否かを判定する（ステップＳＴ１０１）。この判定は、運転支援ＥＣＵ７０が有する交差点判定部７５で行う。
【００４５】
交差点判定部７５は、走行制御ＥＣＵ６０の車速取得部６３で取得した車速情報である現在の車速Ｖと、所定の基準速度Ｖ１とを比較することにより、車速Ｖは基準速度Ｖ１以下であるか否かを判定する。なお、この基準速度Ｖ１は、運転支援が必要な交差点９３が存在するか否かの判断を車速に基づいて行う際における基準値として予め設定され、運転支援ＥＣＵ７０の記憶部に記憶されている。交差点判定部７５での判定により、車速Ｖ≦Ｖ１ではないと判定された場合（ステップＳＴ１０１、Ｎｏ判定）、即ち、車速Ｖは基準速度Ｖ１より大きいと判定された場合には、この処理手順から抜け出る。
【００４６】
これに対し、交差点判定部７５での判定により、車速Ｖ≦Ｖ１であると判定された場合（ステップＳＴ１０１、Ｙｅｓ判定）には、次に、アクセル操作量Ａ≦Ａ１であるか否かの判定を、交差点判定部７５で行う（ステップＳＴ１０２）。交差点判定部７５は、走行制御ＥＣＵ６０のアクセル開度取得部６４で取得した現在のアクセル操作量Ａと、所定の基準値Ａ１とを比較することにより、アクセル操作量Ａは基準値Ａ１以下であるか否かを判定する。なお、この基準値Ａ１は、運転支援が必要な交差点９３が存在かするか否かの判断をアクセル操作量に基づいて行う際における基準値として予め設定され、運転支援ＥＣＵ７０の記憶部に記憶されている。交差点判定部７５での判定により、アクセル操作量Ａ≦Ａ１ではないと判定された場合（ステップＳＴ１０２、Ｎｏ判定）、即ち、アクセル操作量Ａは基準値Ａ１より大きいと判定された場合には、この処理手順から抜け出る。
【００４７】
これに対し、交差点判定部７５での判定により、アクセル操作量Ａ≦Ａ１であると判定された場合（ステップＳＴ１０２、Ｙｅｓ判定）には、次に、ブレーキ圧Ｐ≦Ｐ１であるか否かの判定を、交差点判定部７５で行う（ステップＳＴ１０３）。交差点判定部７５は、現在のブレーキ操作量として、走行制御ＥＣＵ６０のブレーキ操作取得部６５で取得したブレーキ圧Ｐと、所定の基準値Ｐ１とを比較することにより、ブレーキ圧Ｐは基準値Ｐ１以下であるか否かを判定する。なお、この基準値Ｐ１は、運転支援が必要な交差点９３が存在かするか否かの判断をブレーキ操作量に基づいて行う際における基準値として予め設定され、運転支援ＥＣＵ７０の記憶部に記憶されている。交差点判定部７５での判定により、ブレーキ圧Ｐ≦Ｐ１ではないと判定された場合（ステップＳＴ１０３、Ｎｏ判定）、即ち、ブレーキ圧Ｐは基準値Ｐ１より大きいと判定された場合には、この処理手順から抜け出る。
【００４８】
これに対し、交差点判定部７５での判定により、ブレーキ圧Ｐ≦Ｐ１であると判定された場合（ステップＳＴ１０３、Ｙｅｓ判定）には、次に、運転支援装置２の作動モードはオートであるか、マニュアルモードであるかを判定する（ステップＳＴ１０４）。この判定は、運転支援ＥＣＵ７０が有する動作状態制御部７１で行う。動作状態制御部７１は、作動モード切替スイッチ５５の状態を取得し、作動モード切替スイッチ５５によって選択されているモードはオートモードであるかマニュアルモードであるか否かを判定する。
【００４９】
作動モード切替スイッチ５５によってマニュアルモードが選択されている場合（ステップＳＴ１０４、マニュアル）には、次に、動作状態制御部７１でステアリングスイッチ５６の信号を取得する（ステップＳＴ１０５）。ステアリングスイッチ５６の信号を取得したら、取得した信号はＯＮであるか否かの判定を動作状態制御部７１で行う（ステップＳＴ１０６）。動作状態制御部７１での判定により、ステアリングスイッチ５６はＯＮではないと判定された場合（ステップＳＴ１０６、Ｎｏ判定）、即ち、ステアリングスイッチ５６はＯＦＦであると判定された場合には、この処理手順から抜け出る。
【００５０】
これに対し、ステアリングスイッチ５６はＯＮであると判定された場合（ステップＳＴ１０６、Ｙｅｓ判定）には、運転支援を実行する（ステップＳＴ１０７）。つまり、運転支援ＥＣＵ７０の支援実行部８０が有する警報制御部８１で警報装置５０を制御することにより、移動体９６が存在している等の注意喚起を行う。即ち、マイク制御部７３で取得した音情報より検出した接近車両９７等の移動体９６の状態に基づいて、警報制御部８１で警報装置５０を制御することにより、警報装置５０の表示部５１によって注意喚起の表示を行ったり、ブザー５２から警報音を発信したりする。これによりドライバは、移動体９６を認識し、衝突を回避する運転操作を行う。
【００５１】
また、交差点判定部７５で車速Ｖやアクセル操作量Ａ、ブレーキ圧Ｐは、Ｖ１、Ａ１、Ｐ１以下であると判定され（ステップＳＴ１０１、ＳＴ１０２、ＳＴ１０３、全てＹｅｓ判定）、作動モード切替スイッチ５５によってオートモードが選択されている場合（ステップＳＴ１０４、オート）も同様に、警報制御部８１で警報装置５０を制御することにより、運転支援を実行する（ステップＳＴ１０７）。これによりドライバは、移動体９６を認識し、衝突を回避する運転操作を行う。
【００５２】
以上の実施形態１に係る運転支援装置２は、車速取得部６３で取得した車速Ｖが所定の基準速度Ｖ１以下で、アクセル開度取得部６４で取得したアクセル操作量Ａとブレーキ操作取得部６５で取得したブレーキ圧Ｐとが、それぞれ基準値Ａ１、Ｐ１以下である場合に、運転支援が必要な交差点９３であると交差点判定部７５で判定する。つまり、車速が低速で、アクセル操作量もブレーキ操作量も小さい場合には、ドライバは周囲の状況を注意しながらゆっくり走行をしていると判断することができ、運転支援が必要な交差点９３であると判断することができる。これらの走行状態、及び運転操作の状態で、ステアリングスイッチ５６が運転支援を作動する状態に切り替えられているときに、支援実行部８０は、運転支援を実行する。これにより、支援実行部８０は、運転支援が必要な交差点９３であると判断された交差点９３への車両１の進入時に、運転支援を実行する。この結果、運転支援が必要な交差点９３以外の場面で、運転支援が実行されることを抑制することができる。
【００５３】
〔実施形態２〕
実施形態２に係る運転支援装置２は、実施形態１に係る運転支援装置２と略同様の構成であるが、運転支援を行った位置を記憶する点に特徴がある。他の構成は実施形態１と同様なので、その説明を省略すると共に、同一の符号を付す。
【００５４】
図８は、実施形態２に係る運転支援装置の要部構成図である。本実施形態２に係る運転支援装置２は、実施形態１に係る運転支援装置２と同様に、走行制御ＥＣＵ６０と運転支援ＥＣＵ７０とを有しており、運転支援が必要な交差点９３であるか否かを、車両１の走行状態や運転操作の状態に基づいて判断し、運転支援を行うことが可能になっている。このため、運転支援ＥＣＵ７０には、音情報を検出することにより自車両１の周囲の状況を検出するマイク３２と、ドライバに対して警報を行う警報装置５０と、運転支援を作動させるか否かを切り替える作動モード切替スイッチ５５、ステアリングスイッチ５６等が接続されている。
【００５５】
また、車両１には、ＧＰＳ（Ｇｌｏｂａｌ  Ｐｏｓｉｔｉｏｎｉｎｇ  Ｓｙｓｔｅｍ）衛星から送信される信号の受信装置であるＧＰＳ受信機３５が搭載されており、このＧＰＳ受信機３５は、運転支援ＥＣＵ７０に接続されている。
【００５６】
このように、ＧＰＳ受信機３５が接続される運転支援ＥＣＵ７０は、動作状態制御部７１、マイク制御部７３、交差点判定部７５、支援実行部８０に加え、さらに、ＧＰＳ受信機３５で受信した信号に基づいて、車両１の位置情報を取得する位置情報取得手段である位置情報取得部７６と、車両１の走行中にステアリングスイッチ５６が運転支援の作動状態に切り替えられた位置と位置情報取得部７６で取得した位置情報とを対応付けて記憶する支援要求位置記憶手段である支援要求位置記憶部７７と、位置情報取得部７６で取得した現在の車両１の位置が、支援要求位置記憶部７７で記憶した位置が支援要求位置記憶部７７で記憶した位置であるか否かを判定する支援歴判定手段である支援歴判定部７８と、を有している。
【００５７】
本実施形態２に係る運転支援装置２は、以上のごとき構成からなり、以下、その作用について説明する。本実施形態２に係る運転支援装置２は、実施形態１に係る運転支援装置２と同様に、車両１の走行時には、現在の車速と、アクセル操作量及びブレーキ操作量とに基づいて、運転支援が必要な交差点９３に進入するか否かを、交差点判定部７５で判定する。さらに、このように運転支援が必要な交差点９３に進入すると判定され、作動モード切替スイッチ５５やステアリングスイッチ５６が、運転支援を実行するように切り替えられている場合に、支援実行部８０で警報装置５０を制御することによって運転支援を実行する。
【００５８】
また、本実施形態２に係る運転支援装置２では、車両１の走行時には、ＧＰＳ受信機３５で受信したＧＰＳ衛星からの信号に基づいて、車両１の現在の位置情報を、運転支援ＥＣＵ７０が有する位置情報取得部７６で取得する。さらに、支援要求位置記憶部７７では、マニュアルモード時にステアリングスイッチ５６がＯＮに切り替えられた際に、位置情報取得部７６で取得した車両１の現在の位置を、ステアリングスイッチ５６が運転支援を作動させる状態に切り替えられた位置として対応付けし、運転支援ＥＣＵ７０の記憶部に記憶する。これにより、運転支援ＥＣＵ７０の記憶部には、マニュアルモード時にステアリングスイッチ５６をＯＮにした際における位置情報が、データベースとして記憶される。
【００５９】
車両１の走行中には、支援実行部８０は、位置情報取得部７６で取得した現在の車両１の位置情報と、運転支援ＥＣＵ７０の記憶部に記憶されているステアリングスイッチ５６をＯＮにした際における位置情報とを照らし合わせることにより、過去のステアリングスイッチ５６の操作状況も考慮して、運転支援の実行制御を行う。詳しくは、運転支援ＥＣＵ７０が有する支援歴判定部７８により、位置情報取得部７６で取得した現在の車両１の位置が、運転支援ＥＣＵ７０の記憶部に記憶され、ステアリングスイッチ５６をＯＮにしたと対応付けられている位置に到達したか否かを判定する。
【００６０】
なお、この判定は、現在の車両１の位置が、ステアリングスイッチ５６をＯＮにしたと対応付けられている位置に正確に到達する必要はなく、車両１が、過去にステアリングスイッチ５６をＯＮにしたことがある交差点９３に進入すると判定することができる位置に到達した時点で、過去にステアリングスイッチ５６をＯＮにした位置に到達したと判定してよい。つまり、現在の車両１の位置が、過去にステアリングスイッチ５６をＯＮにした位置から所定の範囲内に到達した時点で、車両１はその位置に到達したと判定してよい。
【００６１】
この判定により、現在の車両１の位置が、過去にステアリングスイッチ５６をＯＮにしたと対応付けられている位置に到達したと判定された場合には、現在のステアリングスイッチ５６の状態に関わらず、運転支援を実行する。つまり、現在の車両１の位置が、過去にステアリングスイッチ５６をＯＮにした位置に到達した場合には、支援実行部８０は、警報装置５０を制御することにより、ステアリングスイッチ５６の状態に関わらず運転支援を実行する。
【００６２】
また、車両１の走行中に交差点９３に進入する際に、例えば、走行道路９１側から交差道路９２の状況を確認し難いことに起因して、交差道路９２を移動する接近車両９７や歩行者９８等の移動体９６の存在にすぐに気付かず、移動体９６に気付いた際に、急ブレーキや急ハンドル等の操作を行うことがある。支援要求位置記憶部７７は、このような急ブレーキや急ハンドル等の緊急回避操作を行った場合も、ステアリングスイッチ５６をＯＮにした際における位置情報と同様に、その位置情報を運転支援ＥＣＵ７０の記憶部に記憶する。つまり、支援要求位置記憶部７７は、緊急回避操作を行った際に位置情報取得部７６で取得した車両１の現在の位置を、緊急回避操作を行った位置として対応付けし、運転支援ＥＣＵ７０の記憶部に記憶する。
【００６３】
ドライバが行う運転操作が、急ブレーキや急ハンドルであるか否かの判断は、ドライバの運転操作を検出する検出手段による検出結果に基づいて行う。例えば、急ブレーキであるか否かの判断は、ブレーキ圧センサ２３で検出するブレーキ圧が急激に上昇したか否かに基づいて判断する。また、急ハンドルであるか否かの判断は、舵角センサ２４で検出する舵角が急激に変化したか否かに基づいて判断する。即ち、支援要求位置記憶部７７は、走行制御ＥＣＵ６０のブレーキ操作取得部６５や舵角取得部６６で取得するブレーキ圧や舵角の変化に基づいて、緊急回避操作であるか否かを判断し、緊急回避操作を行った位置を運転支援ＥＣＵ７０の記憶部に記憶する。
【００６４】
支援実行部８０は、位置情報取得部７６で取得した現在の車両１の位置情報と、運転支援ＥＣＵ７０の記憶部に記憶されている緊急回避操作を行った際における位置情報とを照らし合わせることにより、過去の緊急回避操作の状況も考慮して、運転支援の実行制御を行う。即ち、過去にステアリングスイッチ５６をＯＮにしたと対応付けられている位置に到達した場合に行う運転支援と同様に、現在の車両１の位置が、過去に緊急回避操作を行った位置に到達したと支援歴判定部７８で判定した場合には、支援実行部８０は、警報装置５０を制御することにより、ステアリングスイッチ５６の状態に関わらず運転支援を実行する。この場合も、現在の車両１の位置が、過去にステアリングスイッチ５６をＯＮにした位置に到達したか否かの判定を行う場合と同様に、過去に緊急回避操作を行った位置から所定の範囲内に到達した時点で、車両１はその位置に到達したと判定してよい。
【００６５】
図９−１、図９−２は、実施形態２に係る運転支援装置によって運転支援を行う際におけるフロー図である。次に、本実施形態２に係る運転支援装置２で運転支援を行う場合における処理手順の概略について説明する。なお、以下の処理は、車両１の走行制御時における所定の時間ごとに呼び出されて実行する。車両１の走行中に、運転支援のフローが呼び出された場合には、まず、交差点判定部７５で、車速Ｖ≦Ｖ１であるか否かを判定する（ステップＳＴ２０１）。交差点判定部７５での判定により、車速Ｖ≦Ｖ１ではないと判定された場合（ステップＳＴ２０１、Ｎｏ判定）には、この処理手順から抜け出る。
【００６６】
これに対し、交差点判定部７５での判定により、車速Ｖ≦Ｖ１であると判定された場合（ステップＳＴ２０１、Ｙｅｓ判定）には、次に、アクセル操作量Ａ≦Ａ１であるか否かの判定を、交差点判定部７５で行う（ステップＳＴ２０２）。交差点判定部７５での判定により、アクセル操作量Ａ≦Ａ１ではないと判定された場合（ステップＳＴ２０２、Ｎｏ判定）には、この処理手順から抜け出る。
【００６７】
これに対し、交差点判定部７５での判定により、アクセル操作量Ａ≦Ａ１であると判定された場合（ステップＳＴ２０２、Ｙｅｓ判定）には、次に、ブレーキ圧Ｐ≦Ｐ１であるか否かの判定を、交差点判定部７５で行う（ステップＳＴ２０３）。交差点判定部７５での判定により、ブレーキ圧Ｐ≦Ｐ１ではないと判定された場合（ステップＳＴ２０３、Ｎｏ判定）には、この処理手順から抜け出る。
【００６８】
これに対し、交差点判定部７５での判定により、ブレーキ圧Ｐ≦Ｐ１であると判定された場合（ステップＳＴ２０３、Ｙｅｓ判定）には、次に、運転支援装置２の作動モードはオートであるか、マニュアルモードであるかを、動作状態制御部７１で判定する（ステップＳＴ２０４）。
【００６９】
マニュアルモードが選択されている場合（ステップＳＴ２０４、マニュアル）には、次に、動作状態制御部７１でステアリングスイッチ５６の信号を取得し（ステップＳＴ２０５）、取得した信号はＯＮであるか否かの判定を動作状態制御部７１で行う（ステップＳＴ２０６）。この判定により、ステアリングスイッチ５６はＯＮではないと判定された場合（ステップＳＴ２０６、Ｎｏ）には、この処理手順から抜け出る。
【００７０】
これに対し、ステアリングスイッチ５６はＯＮであると判定された場合（ステップＳＴ２０６、Ｙｅｓ）には、ＧＰＳ受信機３５で受信したＧＰＳ衛星からの信号に基づいて、位置情報取得部７６により、車両１の現在の位置情報を取得する（ステップＳＴ２１１）。
【００７１】
次に、ステアリングスイッチ５６の操作情報を記憶する（ステップＳＴ２１２）。つまり、位置情報取得部７６で取得した現在の車両１の位置情報を、ステアリングスイッチ５６をＯＮに操作した際における位置として支援要求位置記憶部７７によって、運転支援ＥＣＵ７０の記憶部に記憶する。
【００７２】
ステアリングスイッチ５６をＯＮに操作した位置の情報を記憶したら、次に、運転支援を実行する（ステップＳＴ２１３）。つまり、マイク制御部７３で取得した音情報に基づいて、警報制御部８１で警報装置５０を制御することにより、警報装置５０を用いてドライバに対して運転支援を行う。これによりドライバは、移動体９６を認識し、衝突を回避する運転操作を行う。
【００７３】
これに対し、交差点判定部７５で車速Ｖやアクセル操作量Ａ、ブレーキ圧Ｐは、Ｖ１、Ａ１、Ｐ１以下であると判定され（ステップＳＴ２０１、ＳＴ２０２、ＳＴ２０３、全てＹｅｓ判定）、作動モード切替スイッチ５５によってオートモードが選択されている場合（ステップＳＴ２０４、オート）には、まず、位置情報取得部７６により、車両１の現在の位置情報を取得する（ステップＳＴ２１４）。
【００７４】
次に、過去のステアリングスイッチ５６の操作情報を取得する（ステップＳＴ２１５）。つまり、運転支援ＥＣＵ７０の記憶部に記憶されている、ステアリングスイッチ５６をＯＮに操作した際の車両１の位置情報を、過去のステアリングスイッチ５６の操作情報として、支援歴判定部７８によって取得する。
【００７５】
過去のステアリングスイッチ５６の操作情報を取得したら、位置情報取得部７６で取得した車両１の現在の位置は、過去にステアリングスイッチ５６をＯＮに操作した位置であるか否かを判定する（ステップＳＴ２１６）。つまり、支援歴判定部７８は、位置情報取得部７６で取得した車両１の現在の位置と、運転支援ＥＣＵ７０の記憶部より取得したステアリングスイッチ５６をＯＮに操作した際の車両１の位置情報とを比較することにより、車両１の現在の位置は、過去にステアリングスイッチ５６をＯＮに操作したことのある位置であるか否かを判定する。
【００７６】
支援歴判定部７８での判定により、車両１の現在の位置は過去にステアリングスイッチ５６をＯＮにした操作をしたことのある位置であると判定した場合（ステップＳＴ２１６、Ｙｅｓ判定）には、警報制御部８１で警報装置５０を制御することにより運転支援を実行する（ステップＳＴ２１３）。
【００７７】
これに対し、支援歴判定部７８での判定により、車両１の現在の位置は過去にステアリングスイッチ５６をＯＮにした操作をしたことのある位置ではないと判定した場合（ステップＳＴ２１６、Ｎｏ判定）には、次に、過去の緊急回避操作の情報を取得する（ステップＳＴ２１７）。つまり、運転支援ＥＣＵ７０の記憶部に記憶されている、過去に緊急回避操作を行った際の車両１の位置情報を、過去の緊急回避操作の情報として、支援歴判定部７８によって取得する。
【００７８】
なお、この緊急回避操作の情報は、ステアリングスイッチ５６をＯＮに操作した際の位置情報を記憶する場合と同様に、交差点９３への進入時に緊急回避操作を行った場合に、緊急回避操作時の車両１の位置情報が、支援要求位置記憶部７７によって運転支援ＥＣＵ７０の記憶部に記憶される。支援歴判定部７８は、このように記憶されている位置情報を取得する。
【００７９】
過去の緊急回避操作の情報を取得したら、位置情報取得部７６で取得した車両１の現在の位置は、過去に緊急回避操作を行った位置であるか否かを判定する（ステップＳＴ２１８）。つまり、支援歴判定部７８は、位置情報取得部７６で取得した車両１の現在の位置と、運転支援ＥＣＵ７０の記憶部より取得した緊急回避操作を行った際の車両１の位置情報とを比較することにより、車両１の現在の位置は、過去に緊急回避操作を行ったことのある位置であるか否かを判定する。
【００８０】
支援歴判定部７８での判定により、車両１の現在の位置は過去に緊急回避操作を行ったことのある位置であると判定した場合（ステップＳＴ２１８、Ｙｅｓ判定）には、警報制御部８１で警報装置５０を制御することにより運転支援を実行する（ステップＳＴ２１３）。これに対し、支援歴判定部７８での判定により、車両１の現在の位置は過去に運転支援操作を行ったことのある位置ではないと判定した場合（ステップＳＴ２１８、Ｎｏ判定）には、運転支援を実行することなく、この処理手順から抜け出る。
【００８１】
以上の実施形態２に係る運転支援装置２は、車両１の走行中に位置情報取得部７６で取得した現在の車両１の位置情報が、過去にステアリングスイッチ５６がＯＮに切り替えられ、支援要求位置記憶部７７によって記憶部に記憶されている位置である場合には、運転支援を実行する。このため、ドライバが、運転支援が必要であると感じている交差点９３への車両１の進入時に、運転支援を実行することができる。この結果、運転支援が必要な交差点９３以外の場面で、運転支援が実行されることを抑制することができる。
【００８２】
また、車両１の走行中に位置情報取得部７６で取得した現在の車両１の位置情報が、過去に緊急回避操作が行われ、支援要求位置記憶部７７によって記憶部に記憶されている位置である場合も同様に、運転支援を実行する。この結果、より確実に、運転支援が必要な交差点９３を精度良く検出することができる。
【００８３】
また、過去にステアリングスイッチ５６がＯＮに切り替えられたり、過去に緊急回避操作が行われたりした地点では、ステアリングスイッチ５６をＯＮに切り替えることなく運転支援を実行するため、ドライバが運転支援を要求する位置では、ステアリングスイッチ５６をＯＮに切り替えることなく運転支援を実行することができる。この結果、運転支援を実行させる度にステアリングスイッチ５６をＯＮに切り替える煩わしさを低減することができる。
【００８４】
〔変形例〕
なお、上述した実施形態１、２に係る運転支援装置２では、車両１の走行状態とドライバの運転操作の状態とに基づいて、運転支援が必要な交差点９３に向かっているか否かの判断を行っているが、これらの状態の現在の値が基準となる値以下であるか否かの判定を行う順番は、上述したものには限られない。つまり、実施形態１、２における処理手順のフローでは、車速、アクセル操作量、ブレーキ圧の順番（ステップＳＴ１０１〜ＳＴ１０３、ＳＴ２０１〜ＳＴ２０３）で判定が行われているが、この順番は上述した順番以外でもよい。判定の順番に関わらず、車両１の走行状態とドライバの運転操作の状態とに基づいて、運転支援が必要な交差点９３に向かっているか否かの判断を行うことにより、このような交差点９３に向っているか否かの判断を、簡易な構成で実現することができる。
【００８５】
また、上述した実施形態１、２に係る運転支援装置２では、ドライバに対する運転支援は、警報装置５０を用いた警報のみになっているが、これ以外の手法によって運転支援を行ってもよい。例えば、ドライバの運転操作に関わらず駆動力や制動力を調節したり、安全方向に操舵をするように促す操舵トルクを、ＥＰＳ装置１２を介してドライバに対して伝達したりすることにより、接近車両９７等の移動体９６と自車両１との接触を回避する運転支援を行ってもよい。運転支援は、自車両１を安全に走行させることができるものであれば、支援の手法は問わない。
【００８６】
また、上述した実施形態１、２に係る運転支援装置２では、環境情報取得手段としてマイク３２が用いられているが、自車両１の周辺の環境情報を取得する環境情報取得手段には、マイク３２以外を用いてもよい。環境情報取得手段は、例えば、自車両１の周囲を撮影可能なカメラや、電磁波や赤外線、レーザー等の検出波を用いて対象物を検出するレーダーを用いてもよい。環境情報取得手段は、ドライバの運転支援に用いることが可能な、自車両１の周囲の環境情報を取得することができるものであれば、その形態は問わない。
【００８７】
また、実施形態２に係る運転支援装置２では、現在の車両１の位置が、過去にステアリングスイッチ５６をＯＮに操作した位置やドライバが緊急回避操作を行った位置である場合に運転支援を行うが、現在の車両１の位置が、これ以外の位置である場合に運転支援を行ってもよい。例えば、事故の多発地点の位置等の外部情報を予め運転支援ＥＣＵ７０に記憶しておき、車両１の現在の位置が、事故の多発地点の位置等の位置に到達したら、運転支援を行ってもよい。これにより、運転支援を行うことが好ましい位置で運転支援を行うことができ、車両１の走行時における安全性を向上させることができる。
【００８８】
また、運転支援装置２は、上述した実施形態、及び変形例で用いられている構成や制御等を適宜組み合わせてもよく、または、上述した構成や制御以外を用いてもよい。運転支援装置２の構成や制御方法に関わらず、車両１の走行状態とドライバの運転操作の状態とに基づいて交差点９３の検出を行うことにより、運転支援が必要な交差点９３以外の場面で、運転支援が実行されることを抑制することができる。
【符号の説明】
【００８９】
１  車両
２  運転支援装置
５  エンジン
１０  ブレーキ油圧制御装置
１２  ＥＰＳ装置
１５  アクセルペダル
１６  ブレーキペダル
２１  車速センサ
２２  アクセルセンサ
２３  ブレーキ圧センサ
３２  マイク
３５  ＧＰＳ受信機
５０  警報装置
５５  作動モード切替スイッチ
５６  ステアリングスイッチ（支援要求手段）
６０  走行制御ＥＣＵ
６１  エンジン制御部
６２  ブレーキ制御部
６３  車速取得部（車速取得手段）
６４  アクセル開度取得部（運転操作取得手段）
６５  ブレーキ操作取得部（運転操作取得手段）
６６  舵角取得部
７０  運転支援ＥＣＵ
７１  動作状態制御部
７３  マイク制御部
７５  交差点判定部
７６  位置情報取得部（位置情報取得手段）
７７  支援要求位置記憶部（支援要求位置記憶手段）
７８  支援歴判定部
８０  支援実行部
８１  警報制御部
８３  報知制御部
【図１】
2013206156.tif 000003
【図２】
2013206156.tif 000004
【図３】
2013206156.tif 000005
【図４】
2013206156.tif 000006
【図５】
2013206156.tif 000007
【図６】
2013206156.tif 000008
【図７】
2013206156.tif 000009
【図８】
2013206156.tif 000010
【図９−１】
2013206156.tif 000011
【図９−２】
2013206156.tif 000012